(57)【要約】【課題】コンパクトディスクやミニディスクなど薄型ディスクの保管時、ディスク同士が隙間なく重なり合わないようにして外部からディスクの題名を視認できるようにし、使用時に所望のディスクが素早く取り出されるディスク収納装置を提供する。【解決手段】薄型ケース２は、互いにスライド可能に重なり合った全面位置に並べられている。載置部１１は、薄型ケース２内に収容位置と取出位置との間で変位可能に設けられて内部にディスク７が着脱可能に差し込まれる。薄型ケース２を全面位置から使用位置に変位させるべく、薄型ケース２を互いに横方向にスライドさせた時、連結片部６が載置部１１を押し上げてディスク７が薄型ケース２から突出してディスク７同士が部分的に重なり合う取出位置に移動させる。【選択図】　　　　図４
2004127462.tif 000002
【特許請求の範囲】
【請求項１】
全面が互いにスライド可能に重なり合った全面位置に並べられて上面が開口する複数の薄型ケースと、
これら薄型ケース内に収容位置と取出位置との間で変位可能に設けられて内部にディスクが着脱可能に差し込まれる載置部と、
前記薄型ケースを前記全面位置から使用位置に変位させるべく、前記薄型ケースを互いに横方向にスライドさせた時、前記載置部を上方に変位させて前記ディスク同士が前記薄型ケースから突出して部分的に重なり合う前記取出位置に移動させる連結片部とを備えたことを特徴とするディスク収納装置。
【請求項２】
前記載置部は、略Ｌ字状に形成されて前記載置部が前記収容位置から前記取出位置に移動した時、前記ディスクの三隅角部が前記薄型ケースから突出することを特徴とする請求項１に記載のディスク収納装置。
【請求項３】
前記載置部は、前記薄型ケース内でピンにより前記収容位置と前記取出位置との間で回動可能に枢支されていることを特徴とする請求項１または請求項２に記載のディスク収納装置。
【請求項４】
隣接する前記薄型ケース同士は、フック状のレール部により横方向にスライド可能になっていることを特徴とする請求項１ないし請求項３のいずれかに記載のディスク収納装置。
【請求項５】
前記薄型ケースは、前記全面位置で保護ボックスが被せられることを特徴とする請求項１ないし請求項４のいずれかに記載のディスク収納装置。
【請求項６】
全面が互いに重なり合う全面位置で上下方向にスライド可能に並べられて開口する上面からディスクが着脱可能に差し込まれる複数の薄型ケースと、
隣接する前記薄型ケース同士を上下方向にスライド可能に連結し、前記全面位置から前記薄型ケース同士および前記ディスク同士が部分的に重なり合いながら上下略一列に連なる使用位置に引き上げる連結片部とを備えたことを特徴とするディスク収納装置。
【請求項７】
前記薄型ケースは、前記ディスクの一隅角部に対応する略三角形状に形成されていることを特徴とする請求項６に記載のディスク収納装置。
【請求項８】
前記連結片部は、隣接する前記薄型ケースに形成された所定長さの縦溝内に上下スライド可能に嵌め込まれていることを特徴とする請求項６または請求項７に記載のディスク収納装置。
【請求項９】
前記連結片部は、前記ディスクの一隅角部を受けるべく略逆ハの字状に形成され、隣接する前記薄型ケースに形成された突部に係脱可能に設けられていることを特徴とする請求項６または請求項７に記載のディスク収納装置。
【請求項１０】
前記薄型ケースが前記全面位置から前記使用位置に引き上げられた時、前記薄型ケースを引っ掛けて前記使用位置に保持するためのフック部が設けられていることを特徴とする請求項６ないし請求項９のいずれかに記載のディスク収納装置。
【請求項１１】
前記薄型ケースは前記全面位置で収容ボックスに収められていることを特徴とする請求項６ないし請求項１０のいずれかに記載のディスク収納装置。
【請求項１２】
略逆三角形状に形成されて互いにピンにより回動可能に連結されて開口する上面にディスクが着脱可能に差し込まれる複数の薄型ケースからなり、前記薄型ケース同士および前記ディスク同士が部分的に重なり合いながら上下略一列に連なる使用位置に引き上げて使用することを特徴とするディスク収納装置。
【発明の詳細な説明】
【０００１】
【発明の属する技術分野】
本発明は、各種のコンパクトディスク、ミニディスクやフレキシブルディスク、フロッピー（登録商標）ディスクといった薄型ディスクを合理的に立てたり、収容するディスク収納装置に関する。
【０００２】
【従来の技術】
この種のディスク類の多くはＣＤ、ＭＤやＦＤなどと呼称されてコンピュータ関連機器の起動をはじめ、記録、更新や保存などに頻繁に用いられている。コンピュータ関連機器で情報通信を行ったり、音楽を聞いたり、事務処理などに利用された後には、再使用を考慮して所定の位置に収納したり保管している。使用後の保管にあたっては、例えば収納ケースにしまったり（例えば特許文献１参照）、本立て状の収納スタンドやディスクスタンドの前後に重なり合うように収容されている（例えば特許文献２および特許文献３参照）。
【０００３】
【特許文献１】
特開平１１−２０８７６０号公報（第３頁、図３）
【特許文献２】
登録実用新案第３０３８８５６号公報（第３頁、図３）
【特許文献３】
実開平１−１２２４９４号公報（第４−５頁、図１）
【０００４】
【発明が解決しようとする課題】
ディスクの表面には、再使用時の便宜上、記録内容が一目で分かるように題名を記入したラベルが貼られて再使用の際の便宜に供しているのが一般的である。上記のようにディスクを収納ケースにしまったり、収納スタンドやディスクスタンドに収容するものでは、収納時にディスク同士の全体が重なり合ってしまうので、ディスクの題名が見えにくい。このため、取り出したいディスクを見出すには、再使用時に重なり合ったディスクを引き上げながら逐一確認してディスクの出し入れを繰り返す必要があり、面倒で手間取りがちな作業となっている。
【０００５】
本発明は上記事情に鑑みてなされ、その目的は使用時に外部からディスクの題名を容易に視認することができてディスクの整理整頓に役立つとともに、所望のディスクを素早く取り出すことができ、コンピュータ関連機器に適用した場合、事務処理能率の向上に寄与するディスク収納装置を提供することにある。
【０００６】
【課題を解決するための手段】
ディスク収納装置において、上面が開口する複数の薄型ケースは、互いにスライド可能に重なり合った全面位置に並べられている。載置部は、薄型ケース内に収容位置と取出位置との間で変位可能に設けられて内部にディスクが着脱可能に差し込まれる。薄型ケースを全面位置から使用位置に変位させるべく、薄型ケースを互いに横方向にスライドさせた時、連結片部が載置部を上方に変位させてディスクが薄型ケースから突出してディスク同士が部分的に重なり合う取出位置に移動させる。
【０００７】
【発明の作用および効果】
（請求項１について）
薄型ケースを互いに横方向にスライドさせて使用位置に変位させると、連結片部により載置部が押し上げられてディスク同士が薄型ケースから突出して取出位置に移動する。取出位置では、複数のディスクが所定の間隔をあけて部分的に重なり合うので、使用時に隣り合うディスクの隙間から各ディスクの題名を容易に視認することができて所望のディスクを素早く取り出すことができる。ディスクをコンピュータ関連機器に適用した場合、ディスクの整理整頓が図られるとともに、ディスクの素早い取り出しにより事務処理能率が向上する。
【０００８】
（請求項２について）
載置部は、略Ｌ字状に形成されて取出位置に移動した時にディスクの三隅角部が薄型ケースから突出する。このため、ディスクの大半が薄型ケースから突き出て外部に現れて視認性が向上する。
（請求項３について）
載置部は、薄型ケース内でピンにより収容位置と取出位置との間で回動可能に枢支されている。このため、載置部が素早く取出位置に移動してディスクの迅速な取出しが可能となる。
【０００９】
（請求項４について）
隣接する薄型ケース同士は、フック状のレール部により横方向にスライド可能になっているため、比較的簡素な構造で薄型ケースの円滑なスライドが可能となる。
（請求項５について）
薄型ケースは、全面位置で保護ボックスが被せられるので、塵埃などの異物の侵入を防ぐことができる。このため、塵の付着によるディスクの故障などを未然防止できる便宜が得られる。
【００１０】
（請求項６について）
ディスクが着脱可能に差し込まれる複数の薄型ケースには、互いに重なり合う全面位置で上下方向にスライド可能に並べられている。薄型ケースを互いに横方向にスライドさせて使用位置に変位させると、薄型ケース同士および前記ディスク同士が部分的に重なり合いながら上下略一列に連なる位置に変化する。このため、請求項１と同様な効果が得られる。
【００１１】
（請求項７について）
薄型ケースは、ディスクの一隅角部に対応する略三角形状に形成されているので、材料の節約ができてコスト的に有利である。
（請求項８について）
連結片部は、隣接する薄型ケースに形成された縦溝内に上下スライド可能に嵌め込まれている。このため、比較的簡素な構造で薄型ケースを上下スライド可能に設けることができる。
【００１２】
（請求項９について）
連結片部は、ディスクの一隅角部を受けるべく略逆ハの字状に形成され、隣接する薄型ケースに形成された突部に係脱可能に設けられている。これにより、隣接する薄型ケース同士を連結する連結片部の構造が簡素になってコスト的に有利である。
【００１３】
（請求項１０について）
薄型ケースが使用位置に引き上げられた時、薄型ケースを引っ掛けて使用位置に保持するためのフック部が設けられている。このため、一列に連なった複数の薄型ケースが吊り下げられた状態になり、省スペース化が実現できて保管しやすくなる。
【００１４】
（請求項１１について）
薄型ケースは全面位置で収容ボックスに収められているので、薄型ケースおよびディスクのまとまりがよく整理整頓を行い易くなる。
（請求項１２について）
ディスクを差し込む複数の薄型ケースは、略三角形状に形成されて互いにピンにより回動可能に連結されている。先頭の薄型ケースを引き上げると、薄型ケース同士およびディスク同士が部分的に重なり合いながら上下略一列に連なる使用位置に変位する。このため、請求項１と同様な効果が得られる。
【００１５】
【発明の実施の形態】
本発明の各実施例を図面に基づいて説明する。
図１ないし図７は、本発明の第１実施例におけるディスク収納装置Ａを示す。ディスク収納装置Ａは、机上やコンピュータ関連機器の周辺など適宜の場所に設置される。収納ボックス１は、図１ないし図３に示すように二枚のＬ字板１ａ、１ｂ同士を分離可能に突き合わせて矩形状に形成されている。収納ボックス１内には、上面が開口する複数（例えば９個）の薄型ケース２が全面を重ね合う全面位置で収容されている。
【００１６】
これら薄型ケース２は透明あるいは着色性のプラスチック製で、左右両側の上縁部および下縁部にフック状のレール部３、４を一体に形成している。隣接する薄型ケース２同士は、一方のレール部３を他方のレール部４に差し入れることにより互いに横方向にスライド可能に並べられている。これら薄型ケース２が収容されて全面位置にある時、保護ボックスＢｘを被せることにより塵埃などの異物から保護することができる（図１参照）。
【００１７】
各薄型ケース２の左右の中央部には、横長溝５および連結片部６が形成されている。薄型ケース２の連結片部６は、隣接する薄型ケース２の横長溝５内にスライド可能に挿入されて薄型ケース２内に僅かに突出している。右端の薄型ケース２の連結片部６は、Ｌ字板１ａの外側板部に形成された止め孔８に係合している。右端の薄型ケース２の横長溝５は、Ｌ字板１ｂの外側板部に形成された止め孔９を通過する連結片部１０を受け入れている（図２参照）。
各薄型ケース２内には、後述するディスク７が着脱可能に差し込まれる載置部１１が収容位置と取出位置との間で上下変位可能に設けられている。すなわち、載置部１１は、Ｌ字状に形成されて折曲部でピン１２により図３に示す収容位置と図４に示す取出位置との間で回動可能に枢支されている。
【００１８】
Ｌ字板１ａ、１ｂを全面位置から図３および図５に矢印Ｎ、Ｍで示す方向に引き離すと、隣接する薄型ケース２のレール部３、４同士が横方向にスライドして薄型ケース２同士が図６および図７に示すように、ジグザグ状で横方向に部分的に重なり合う使用位置に変位する。これに伴い、隣接する薄型ケース２の連結片部６が横長溝５内を横方向にスライドするため、連結片部６が載置部１１を収容位置から上方に押圧して図７に矢印Ｐで示すようにピン１２を中心に取出位置まで回動させる。
【００１９】
載置部１１の取出位置への回動により、ディスク７が薄型ケース２から突出してディスク７同士が所定の間隔をあけて部分的に重なり合う。取出位置では、ディスク７の一隅角部が薄型ケース２から上方に突出するが、ディスク７の三隅角部まで外部に突出するようにしてもよい。なお、Ｌ字板１ａ、１ｂを全面位置から使用位置に引き離すに伴い、左端の連結片部１０は左端の薄型ケース２の横長溝５に沿ってスライドし、右端の薄型ケース２の連結片部６は止め孔８に対する係合を保持している（図７参照）。
【００２０】
上記構成では、薄型ケース２を互いに横方向にスライドさせて使用位置に変位させると、連結片部により載置部が押し上げられてディスク７が薄型ケース２から突出してディスク７同士が部分的に重なり合う取出位置に移動する。取出位置では、複数のディスク７が所定の間隔をあけて部分的に重なり合うので、使用時に隣り合うディスク７の隙間から各ディスク７の題名を容易に視認することができて所望のディスク７を素早く取り出すことができる。ディスク７をコンピュータ関連機器に適用した場合、ディスク７の整理整頓が図られるとともに、ディスク７の素早い取り出しにより事務処理能率が向上する。
【００２１】
図８および図９は本発明の第２実施例を示す。第２実施例のディスク収納装置Ｂにおける薄型ケース２は、その表面および裏面の中央部に蟻臍１３および蟻溝１４を横方向いっぱいに形成している。蟻臍１３の上面部には、ディスク７が着脱可能に差し込まれるスリット１５を形成している。隣接する薄型ケース２のうち一方の蟻臍１３を他方の蟻溝１４に嵌め込むことにより、収容位置から突起状のストッパ１６同士が当接する取出位置まで横方向にスライド可能になっている。取出位置では、複数のディスク７が所定の間隔をあけて部分的に重なり合うので、各ディスク７の題名を視認し易い。
【００２２】
図１０および図１１は本発明の第３実施例を示す。第３実施例のディスク収納装置Ｃにおける薄型ケース２は、図１０に示すように略逆三角形状に形成されて全面が互いに重なり合う全面位置で上下方向にスライド可能に並べられている。各薄型ケース２の表面および裏面には、丸穴１７ａを有する縦溝１７および連結片部１８がそれぞれ形成されている。前後に隣接する薄型ケース２のうち一方の連結片部１８を他方の縦溝１７に差し入れて連結片部１８を縦溝１７に上下スライド可能に連結している。先頭の薄型ケース２の連結片部１８は、略逆Ｌ字状の取付板１９の縦溝部２０に着脱可能に嵌め込まれている。
【００２３】
先頭の薄型ケース２を全面位置から引き上げると、その縦溝１７と後続する薄型ケース２の連結片部１８とがスライドしながら薄型ケース２が次々に上方に移動し、図１１に示すように各薄型ケース２が上下略一列に連なる使用位置に到る。使用位置では、ディスク７同士が所定の間隔をあけて部分的に重なり合うので、各ディスク７の題名を視認し易くなっている。この時、取付板１９を室内の縦壁などに引っ掛けて吊り下げることにより薄型ケース２が使用位置に保持される。なお、薄型ケース２を全面位置から引き上げる際、先頭の薄型ケース２に限らず所望列の薄型ケース２を引き上げてもよい。
【００２４】
図１２ないし図１４は本発明の第４実施例を示す。第４実施例のディスク収納装置Ｄが第３実施例と異なるところは、薄型ケース２が図１２に示すように断面略コの字状に形成されており、左右の各外側端に縦溝２１およびスライド片部２２を前後に一対づつ設けたことである。前後に隣接する薄型ケース２のうち一方のスライド片部２２を他方の縦溝２１に差し入れてスライド片部２２を縦溝２１に上下スライド可能に連結している。各薄型ケース２の裏面側には、ディスク７の一隅角部を受ける連結片部２３が略逆ハの字状に形成されている。各薄型ケース２の表面側には、連結片部２３に係脱する突部２４が形成されている。全面位置では、図１３に示すように各薄型ケース２は収容ボックス２５内に収容されている。
【００２５】
図１４に示すように先頭の薄型ケース２を全面位置から引き上げると、これのスライド片部２２が後続する薄型ケース２の縦溝２１に沿ってスライドしながら突部２４が連結片部２３に係合して薄型ケース２が次々に上方に移動し、第３実施例と同様に各薄型ケース２が上下略一列に連なる使用位置に到る。この時、先頭の薄型ケース２を室内に設けたフック部２６（図１２参照）に引っ掛けて吊り下げることにより薄型ケース２が使用位置に保持される。
【００２６】
図１５ないし図１７は本発明の第５実施例を示す。第５実施例のディスク収納装置Ｅの薄型ケース２同士は、図１５および図１６に示すように、ディスク７の一隅角部に対応する略逆三角形状に形成され、枢支部としてのピン２７により相互に回動可能に連結されている。各薄型ケース２の開口する上面には、ディスク７が着脱可能に差し込まれるようになっている。先頭の薄型ケース２のピン２７には、図１１と同様な取付板１９が取り付けられている。
【００２７】
図１７に示すように先頭の薄型ケース２を引き上げると、ピン２７に連結された後続する薄型ケース２が次々に上方に移動し、各薄型ケース２が上下略一列に連なる使用位置に到る。この時、先頭の薄型ケース２の取付板１９を室内の縦壁などに引っ掛けて吊り下げることにより薄型ケース２が使用位置に保持される。なお、所望列の薄型ケース２を引き上げることにより、薄型ケース２の連結群を二列に折り重ねられるので、ディスク７の収容数が少ない場合に対処することができる。
【００２８】
なお、上記各実施例では、ディスク７を薄型ケース２に差し込むようにしたが、ディスク７を内蔵したパッケージ自体を薄型ケース２に着脱可能に差し込むようにしてもよい。薄型ケース２の材料としては、プラスチックに限らず青銅、真鍮、鉄、鋼、アルミニウム、ステンレススチールなどの金属、セラミック、木材や各種の新素材を用いてもよい。ディスク７の形状については、矩形ばかりでなく円形や多角形など各種の幾何形状を適用することができる。その他、本発明のディスク収納装置は新製品の発売や新店舗の営業時などに提供するノベルティとして使用できるなど本発明の要旨を逸脱しない範囲で種々変更することができる。
【図面の簡単な説明】
【図１】ディスク収納装置の分解斜視図である（第１実施例）。
【図２】（イ）は収納ボックスの斜視図であり、（ロ）は連結片部と止め孔との拡大分解斜視図である。
【図３】ディスク収納装置の斜視図である。
【図４】複数の薄型ケースが互いにスライドする状態を示す斜視図である。
【図５】ディスク収納装置の上面図である。
【図６】作用説明のために示すディスク収納装置の上面図である。
【図７】作用説明のために示すディスク収納装置の斜視図である。
【図８】ディスク収納装置の分解斜視図である（第２実施例）。
【図９】複数の薄型ケースが互いにスライドする状態を示す斜視図である。
【図１０】ディスク収納装置の斜視図である（第３実施例）。
【図１１】作用説明のために示すディスク収納装置の斜視図である。
【図１２】（イ）はディスク収納装置の斜視図であり、（ロ）はフック部の斜視図である（第４実施例）。
【図１３】ディスク収納装置の縦断面図である。
【図１４】作用説明のために示すディスク収納装置の縦断面図である。
【図１５】薄型ケースを単独で示す斜視図である（第５実施例）。
【図１６】作用説明のために示すディスク収納装置の斜視図である。
【図１７】使用位置に保持されたディスク収納装置の斜視図である。
【符号の説明】
２　薄型ケース
３、４　レール部
５　横長溝
６、１０、１８　連結片部
７　ディスク
１１　載置部
１２、２７　ピン
１７、２１　縦溝
２２　スライド片部
２４　突部
２５　収容ボックス
２６　フック部
Ｂｘ　保護ボックス
Ａ〜Ｅ　ディスク収納装置
【図１】
2004127462.tif 000003
【図２】
2004127462.tif 000004
【図３】
2004127462.tif 000005
【図４】
2004127462.tif 000006
【図５】
2004127462.tif 000007
【図６】
2004127462.tif 000008
【図７】
2004127462.tif 000009
【図８】
2004127462.tif 000010
【図９】
2004127462.tif 000011
【図１０】
2004127462.tif 000012
【図１１】
2004127462.tif 000013
【図１２】
2004127462.tif 000014
【図１３】
2004127462.tif 000015
【図１４】
2004127462.tif 000016
【図１５】
2004127462.tif 000017
【図１６】
2004127462.tif 000018
【図１７】
2004127462.tif 000019